(57)【要約】      （修正有）【課題】腕部及び脚部の複合訓練機を提供する。【解決手段】座体１、脚掛け機構２、及び押し上げ機構３を含み、脚掛け機構は、座体の先端に設けられ且つ第一伸縮シリンダ２１、連接棒群２２及び脚掛け部材２３を含み、第一伸縮シリンダは、連接棒群の一端に設けられ、且つ第一伸縮シリンダが抗力源であり、脚掛け部材は、連接棒群の他端に設けられ、押し上げ機構は、座体の頂端に設けられ且つ第二伸縮シリンダ３１及び押し上げ部材３２を含み、第二伸縮シリンダは、押し上げ部材の一端に設けられ、第二伸縮シリンダは、押し上げ部材に設けられ、且つ第二伸縮シリンダが抗力源である。そのため、本考案は、両腕の押上または／および脚部の複合の筋力訓練を達成し、人体の任意の関節角度においても、筋肉の収縮伸張に充分な訓練量を達成することができる。【選択図】図１
0003216822.tif 000002
【実用新案登録請求の範囲】
【請求項１】
腕部及び脚部の複合訓練機であって、前記腕部及び脚部の複合訓練機は、座体、脚掛け機構、及び押し上げ機構を含み、
前記座体は、ベース及び座具を含み、前記座具は、前記ベースに設けられ、前記脚掛け機構は、前記座体の先端に設けられ且つ第一伸縮シリンダ、連接棒群及び脚掛け部材を含み、前記第一伸縮シリンダは、前記連接棒群の一端に設けられ、前記脚掛け部材は、前記連接棒群の他端に設けられ、前記脚掛け部材が前記第一伸縮シリンダを牽引することで対応する抗力を生じ、
前記押し上げ機構は、前記座体の頂端に設けられ且つ第二伸縮シリンダ及び押し上げ部材を含み、前記第二伸縮シリンダは、前記押し上げ部材の一端に設けられ、前記押し上げ部材が前記第二伸縮シリンダを牽引することで対応する抗力を生じ、前記第一伸縮シリンダ又は/及び第二伸縮シリンダの往復式の伸縮により対応する抗力を生じ、両手押し上げ又は/及び脚部複合式の訓練効果を達成することを特徴とする腕部及び脚部の複合訓練機。
【請求項２】
前記第一伸縮シリンダ、第二伸縮シリンダの往復式の伸縮牽引は、それぞれモータ、減速機及びその伸縮棒におけるラックの機械要素からなることを特徴とする請求項１に記載の腕部及び脚部の複合訓練機。
【請求項３】
前記第一伸縮シリンダ、第二伸縮シリンダの往復式の伸縮は、個別に作動又は同時に作動することができ、その速度は、調整可能であることを特徴とする請求項２に記載の腕部及び脚部の複合訓練機。
【請求項４】
前記第一伸縮シリンダ、第二伸縮シリンダは、それぞれ空気圧減衰式又は油圧減衰式であることを特徴とする請求項１に記載の腕部及び脚部の複合訓練機。
【請求項５】
前記第一伸縮シリンダは、前記ベース座具の底部に設けられることを特徴とする請求項２又は請求項４に記載の腕部及び脚部の複合訓練機。
【請求項６】
前記第二伸縮シリンダは、前記座具の背部に設けられることを特徴とする請求項２又は請求項４に記載の腕部及び脚部の複合訓練機。
【請求項７】
前記連接棒群は、第一連接棒、第二連接棒、前記ベース、脚掛け部材により四つの連接棒群を構成し、前記第一伸縮シリンダは、前記第一連接棒の中間部に設けられることを特徴とする請求項２又は請求項４に記載の腕部及び脚部の複合訓練機。
【請求項８】
第一連接棒の一端は、前記ベースに設けられ、前記第一連接棒の他端は、前記第二連接棒の一端に枢着され、前記第二連接棒の他端は、前記脚掛け部材に枢着されることを特徴とする請求項７に記載の腕部及び脚部の複合訓練機。
【請求項９】
前記ベースは、第一ストップブロックおよび二第二ストップブロックを含み、且つ前記第一ストップブロックは、前記ベース空間部と連接棒群との間に設けられ、前記脚掛け機構に対しストッピング効果形成し、前記第二ストップブロックは、前記ベース背面に設けられ、前記押し上げ機構の押し上げ、引き下げに対しストッピング効果を達成することを特徴とする請求項２又は請求項４に記載の腕部及び脚部の複合訓練機。
【請求項１０】
前記座体の座具の両側にはそれぞれ固定バーが設けられることを特徴とする請求項２又は請求項４に記載の腕部及び脚部の複合訓練機
【考案の詳細な説明】
【技術分野】
【０００１】
本考案は、フィットネス器材に関し、特に腕部及び脚部訓練の複合訓練機能を有する訓練器に関する。
【背景技術】
【０００２】
現代人は、健康、長寿を求めるために日常的な運動、ボディケアを重要視するが、天気と運動環境に制限されるため、アウトドアスポーツは、だんだん室内またはジムでの運動により取り替えられ、特に、フィットネス器材を用いて容易に室内運動を行うことができ、フィットネスの効果を達成することができる。
【０００３】
しかし、従来のフィットネス運動器材の種類は様々であり、それぞれ異なる機能とフィットネス効果がある。例えば、各種の異なる方式の揺動、ストレッチング、背筋伸ばし、押圧等の運動を行うと、筋肉強度を増加することができ、体力を強化し、体格を維持することができる。ここで、伸縮シリンダを抗力方式とすることは、現在において障害者、老人、女性等の特定群体に適合するフィットネス訓練またはリハビリテーション物理治療設備向けの抗力方式であるとされている。
【０００４】
更に、市販の伸縮シリンダを抗力とするフィットネス又は訓練器材の多くは、単一の人体部位の訓練しかできない。
【０００５】
そのため、現在市販の伸縮シリンダを抗力とするフィットネス又は訓練器材は、一つの器材で色んな部位を訓練することができる機能の面では不足があった。
【考案の概要】
【考案が解決しようとする課題】
【０００６】
上記の従来のフィットネス又は訓練器材の問題点に鑑み、本考案の発明者等は、本考案の腕部及び脚部の複合訓練機を完成した。本考案の主目的は、腕部、脚部の複合訓練機を提供することであり、本考案の他の目的は、伸縮シリンダを抗力とする腕部、脚部の個別または複合訓練機を提供することである。
【０００７】
上記の目的を達成するために、本考案の腕部および脚部の複合訓練機は、座体、脚掛け機構、及び押し上げ機構を含み、前記座体は、ベース及び座具を含み、前記座具は、前記ベースに設けられ、前記脚掛け機構は、前記座体の先端に設けられ且つ第一伸縮シリンダ、連接棒群及び脚掛け部材を含み、前記第一伸縮シリンダは、前記連接棒群の一端に設けられ、前記脚掛け部材は、前記連接棒群の他端に設けられ、第一伸縮シリンダは、脚掛け機構が機能するための抗力源であり、前記押し上げ機構は、座体の頂端に設けられ、且つ第二伸縮シリンダおよび押し上げ部材を含み、第二伸縮シリンダは、押し上げ部材に設けられ、第二伸縮シリンダは、押し上げ機構が機能するための抗力源である。
【０００８】
また、前記第一伸縮シリンダ、第二伸縮シリンダの往復式の伸縮牽引は、それぞれモータ、減速機及びその伸縮棒におけるラックの機械要素からなる。
【０００９】
また、前記第一伸縮シリンダ、第二伸縮シリンダの往復式の伸縮は、個別に作動又は同時に作動することができ、その速度は、調整可能である。
【００１０】
また、前記第一伸縮シリンダは、座具の底部に設けられる。
【００１１】
また、第二伸縮シリンダは、座具の背部に設けられる。
【００１２】
また、前記連接棒群は、第一連接棒、第二連接棒、前記ベース、脚掛け部材により四つの連接棒群を構成し、前記第一伸縮シリンダは、前記第一連接棒の中間部に設けられる。
【００１３】
また、第一連接棒の一端は、前記ベースに設けられ、前記第一連接棒の他端は、前記第二連接棒の一端に枢着され、前記第二連接棒の他端は、前記脚掛け部材に枢着される。
【００１４】
また、前記ベースは、第一ストップブロックおよび二第二ストップブロックを含み、且つ前記第一ストップブロックは、前記ベース空間部と連接棒群との間に設けられ、前記脚掛け機構に対しストッピング効果を実現し、前記第二ストップブロックは、前記ベース背面に設けられ、前記押し上げ機構の押し上げ、引き下げに対しストッピング効果を達成する。
【００１５】
また、座体の座具の両側には、それぞれ固定バーが設けられる。
【００１６】
また、前記第一伸縮シリンダ、第二伸縮シリンダは、それぞれ空気圧減衰式又は油圧減衰式である。
【考案の効果】
【００１７】
本考案の腕部及び脚部の複合訓練機を使用することで、以下のような効果を達成することができる。
【００１８】
１.  一台の本考案の複合訓練機は、二台の普通の器材を取り替えることができ、言い換えると、同時にトレーニング者の腕部、脚部のそれぞれの筋力訓練又は複合の筋力訓練を提供することができる。
２.  本考案の複合訓練機は、第一伸縮シリンダ又は/及び第二伸縮シリンダの受動的動作により対応する抗力を生じ、腕部、脚部の筋力訓練を提供し、人体の任意の関節角度においても、筋肉収縮及び伸張の適当さ、充分な訓練量を達成することができ、更に、トレーニング者は、自分で設備に加える力制御することができ、危険性が低く、且つ運動後に、気分がよくなるため、本考案は、家庭、スポーツセンター、リハビリセンター、体育人材訓練センター等で好適に用いることができる。
３.本考案の複合訓練機に設けられる第一ストップブロック及び第二ストップブロックは、使用状況に応じて調整することができる。
【図面の簡単な説明】
【００１９】
【図１】本考案の複合訓練機の斜視図である。
【図２】本考案の複合訓練機の他の斜視図である。
【図３】本考案の複合訓練機の側面図である。
【図４】本考案の複合訓練機の脚掛けマシンの簡略図である。
【図５】本考案の複合訓練機の押し上げ機簡略図である。
【図６】トレーニング者が本考案を使用する第一概略図である。
【図７】トレーニング者が本考案を使用する第二概略図である。
【図８】トレーニング者が本考案を使用する第三概略図である。
【考案を実施するための形態】
【００２０】
先ず、図１を参考すると、本考案に係る腕部及び脚部の複合訓練機Aは、座体１、脚掛け機構２、押し上げ機構３を含み、図１及び図２に示すように、座体１は、ベース１１及び座具１２を含み、ベース１１は、異なる棒体の接続により構成され、且つ空間部１１１を有し、本考案の技術特徴として、座具１２がベース１１に設けられることで、トレーニング者が座って挙手、挙脚の筋力訓練を行う。また、ベース１１は、第一ストップブロック１１２および二つの第二ストップブロック１１４を含み、且つ第一ストップブロック１１２は、ベース１１の空間部１１１の底部と連接棒群２２との間に設けられ、且脚掛け機構２の移動行程を調整可能に設けられ、二つの第二ストップブロック１１４は、ベース１１の背面に設けられ、押し上げ機構３の押し上げ、引き下げの往復行程範囲を調整可能に設けられる。また、座具１２の両側には、それぞれ固定バー１１３が設けられ、トレーニング者が挙脚で筋力訓練を行う時に、腕部を固定する。(図７)
【００２１】
図１、図３および図４に示すように、脚掛け機構２は、座体１の先端に設けられ、且つ第一伸縮シリンダ２１、連接棒群２２及び脚掛け部材２３を含み、第一伸縮シリンダ２１は、ベース１１座具１２の空間部１１１の下方に設けられる。更に、第一伸縮シリンダ２１は、モータ、減速機及びその伸縮棒におけるラックの機械要素からなり、モータの入力電圧及び電流を調整することで、第一伸縮シリンダ２１の移動速度を調整する。連接棒群２２は、第一連接棒２２１、第二連接棒２２２及びベース１１、脚掛け部材２３から構成される四つの連接棒群であり、且つ第一連接棒２２１の先端は、連接棒群２２の第一連接棒２２１の中間部に接続され、脚掛け部材２３は、連接棒群２２の第二連接棒２２２の最外端に接続され、第一連接棒２２１の頂端は、前記座具１２の下方のベース１１における部分に接続され、第一連接棒２２１の底端は、第二連接棒２２２の最内端に枢着される。前記脚掛け部材２３が前記連接棒群２２を連動することにより、前記第一伸縮シリンダを牽引して往復伸縮し、対応する抗力を生じさせる。即ち、脚掛け機構２は、トレーニング者の脚掛けにより、往復挙脚、降脚を行うことで第一伸縮シリンダ２１を牽引して脚部筋力訓練を行う。
【００２２】
図２、図３及び図５に示すように、押し上げ機構３は、座体１の頂端に設けられ且つ第二伸縮シリンダ３１及び押し上げ部材３２を含み、第二伸縮シリンダ３１は、座具１２の背部に設けられ、且つ押し上げ部材３２に設けられ、押し上げ部材３２が第二伸縮シリンダ３１を牽引して往復伸縮することで、対応抗力を生じさせる。さらに、第二伸縮シリンダ３１は、それぞれモータ、減速機及びその伸縮棒におけるラックの機械要素からなり、その速度は、調整可能である(モータの入力電圧または電流の大きさによって調整) 。また、押し上げ機構３は、トレーニング者の両腕の往復押し上げ、引き下げにより第二伸縮シリンダ３１を牽引して腕部の筋力訓練を行う。
【００２３】
上記の各要素により構成される本考案の腕部及び脚部複合訓練機Aは、牽引第一伸縮シリンダ２１、第二伸縮シリンダ３１を牽引することで対応する抗力を生じさせ、個別に押し上げ、脚掛けを行うことで、腕部、脚部の複合筋力訓練を達成することができる。なお、第一伸縮シリンダ２１、第二伸縮シリンダ３１は、電動モータによる駆動(ただし、第一伸縮シリンダ２１、第二伸縮シリンダ３１は電動式に限らない)であり、トレーニング者の両腕、両脚が状況によってそれぞれ押し上げ部材３２、脚掛け部材２３に適当な力を加え、トレーニング者が適当な筋力訓練を達成し、且つ過度な筋力負荷を与えず、トレーニング者は自分で力を調整することができるため、本考案の複合訓練機Aは、老人、女性、リハビリテーション者等に適合している。
【００２４】
そのため、図５及び図６に示すように、押し上げの訓練のみをする時に、トレーニング者は、座体１の座具１２に座り、両手で押し上げ部材３２の把持部を握り、その後、第二伸縮シリンダ３１を牽引して往復伸縮することで、対応する抗力を生じさせ、言い換えると、押し上げ部材３２は、ベース１１頂端の枢着部で往復回転し、トレーニング者の両腕は、押し上げ部材３２とともに押し上げ又は引き下げられ、トレーニング者の腕の筋力訓練を提供し、腕が任意の関節角度においても、腕の各部位の筋肉の収縮伸張の訓練量が適当であり、充分な効果を達成することができる。なお、第二伸縮シリンダ３１の伸縮速度は、トレーニング者の反応能力に応じて、調整できるように設けられる。
【００２５】
図４及び図７に示すように、脚掛けのみの訓練をする時に、トレーニング者は、座体１の座具１２に座り、両脚を脚掛け部材２３内にスリーブし、両手で固定バー１１３を握り、その後、連接棒群２２を駆動させ、第一伸縮シリンダ２１を牽引して往復伸縮することで、対応する抗力を生じさせる。言い換えると、脚掛け部材２３は、連接棒群２２の駆動により、ベース１１先端の枢着部で回転し、トレーニング者の両脚が、適当に脚掛け部材２３に力を加えて往復して押し上げ又は引き下げ、トレーニング者の両脚の筋力訓練を提供し、両脚が任意の関節角度においても、脚部の各筋肉の収縮伸張の訓練量が適当であり、充分な効果を達成することができる。なお、第一伸縮シリンダ２１の伸縮速度は、トレーニング者の反応能力に応じて、調整できるように設けられる。
【００２６】
図８に示すように、本考案は、同時に腕部の押し上げ及び脚部の脚掛けの複合式の筋力訓練機を提供することができ、トレーニング者は、座体１の座具１２に座り、両手で押し上げ部材３２の把持部を握り、両脚は、脚掛け部材２３内にスリーブされ、同時に脚掛け部材２３と、押し上げ部材３２を駆動させ、第一伸縮シリンダ２１、第二伸縮シリンダ３１を牽引して往復伸縮することで、対応抗力を生じさせる。言い換えると、脚掛け部材２３、押し上げ部材３２は、それぞれベース１１との枢着処で回転し、トレーニング者の両腕、両脚等の四肢が、適当に押し上げ部材３２、脚掛け部材２３が往復上下に動くように力を加え、トレーニング者の四肢部位の筋肉の筋力訓練を提供し、四肢の任意の関節角度においても、四肢の各部位の筋肉の収縮伸張の訓練量が適当であり、充分な効果を達成することができる。なお、第一伸縮シリンダ２１、第二伸縮シリンダ３１の伸縮速度は、トレーニング者の反応能力に応じて、個別に調整できるように設けられる。
【００２７】
なお、本考案の押し上げ及び脚掛けの複合訓練機の第一伸縮シリンダ２１、第二伸縮シリンダ３１は、それぞれ空気圧減衰式又は油圧減衰式等の伸縮装置に設けられることができる。
【符号の説明】
【００２８】
A：複合訓練機
１：座体
１１ ：ベース
１１１：空間部
１１２：第一ストップブロック
１１３：固定バー
１１４：第二ストップブロック
１２ ：座具
２ ：脚掛け機構
２１：第一伸縮シリンダ
２２：連接棒群
２２１：第一連接棒
２２２：第二連接棒
２３：脚掛け部材
３：押し上げ機構
３１：第二伸縮シリンダ
３２：押し上げ部材
【図１】
0003216822.tif 000003
【図２】
0003216822.tif 000004
【図３】
0003216822.tif 000005
【図４】
0003216822.tif 000006
【図５】
0003216822.tif 000007
【図６】
0003216822.tif 000008
【図７】
0003216822.tif 000009
【図８】
0003216822.tif 000010
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
腕部及び脚部の複合訓練機であって、前記腕部及び脚部の複合訓練機は、座体、脚掛け機構、及び押し上げ機構を含み、
前記座体は、ベース及び座具を含み、前記座具は、前記ベースに設けられ、前記脚掛け機構は、前記座体の先端に設けられ且つ第一伸縮シリンダ、連接棒群及び脚掛け部材を含み、前記第一伸縮シリンダは、前記連接棒群の一端に設けられ、前記脚掛け部材は、前記連接棒群の他端に設けられ、前記脚掛け部材が前記第一伸縮シリンダを牽引することで対応する抗力を生じ、
前記押し上げ機構は、前記座体の頂端に設けられ且つ第二伸縮シリンダ及び押し上げ部材を含み、前記第二伸縮シリンダは、前記押し上げ部材の一端に設けられ、前記押し上げ部材が前記第二伸縮シリンダを牽引することで対応する抗力を生じ、前記第一伸縮シリンダ又は/及び第二伸縮シリンダの往復式の伸縮により対応する抗力を生じ、両手押し上げ又は/及び脚部複合式の訓練効果を達成することを特徴とする腕部及び脚部の複合訓練機。
【請求項２】
前記第一伸縮シリンダ、第二伸縮シリンダの往復式の伸縮牽引は、それぞれモータ、減速機及びその伸縮棒におけるラックの機械要素からなることを特徴とする請求項１に記載の腕部及び脚部の複合訓練機。
【請求項３】
前記第一伸縮シリンダ、第二伸縮シリンダの往復式の伸縮は、個別に作動又は同時に作動することができ、その速度は、調整可能であることを特徴とする請求項２に記載の腕部及び脚部の複合訓練機。
【請求項４】
前記第一伸縮シリンダ、第二伸縮シリンダは、それぞれ空気圧減衰式又は油圧減衰式であることを特徴とする請求項１に記載の腕部及び脚部の複合訓練機。
【請求項５】
前記第一伸縮シリンダは、前記座具の底部に設けられることを特徴とする請求項２又は請求項４に記載の腕部及び脚部の複合訓練機。
【請求項６】
前記第二伸縮シリンダは、前記座具の背部に設けられることを特徴とする請求項２又は請求項４に記載の腕部及び脚部の複合訓練機。
【請求項７】
前記連接棒群は、第一連接棒、第二連接棒、前記ベース、脚掛け部材により四つの連接棒群を構成し、前記第一伸縮シリンダは、前記第一連接棒の中間部に設けられることを特徴とする請求項２又は請求項４に記載の腕部及び脚部の複合訓練機。
【請求項８】
第一連接棒の一端は、前記ベースに設けられ、前記第一連接棒の他端は、前記第二連接棒の一端に枢着され、前記第二連接棒の他端は、前記脚掛け部材に枢着されることを特徴とする請求項７に記載の腕部及び脚部の複合訓練機。
【請求項９】
前記ベースは、第一ストップブロックおよび二つの第二ストップブロックを含み、且つ前記第一ストップブロックは、前記空間部と連接棒群との間に設けられ、前記脚掛け機構に対しストッピング効果形成し、前記第二ストップブロックは、前記ベース背面に設けられ、前記押し上げ機構の押し上げ、引き下げに対しストッピング効果を達成することを特徴とする請求項２又は請求項４に記載の腕部及び脚部の複合訓練機。
【請求項１０】
前記座体の座具の両側にはそれぞれ固定バーが設けられることを特徴とする請求項２又は請求項４に記載の腕部及び脚部の複合訓練機。
【手続補正書】
【提出日】平成30年4月20日(2018.4.20)
【手続補正１】
【補正対象書類名】実用新案登録請求の範囲
【補正対象項目名】全文
【補正方法】変更
【補正の内容】
【実用新案登録請求の範囲】
【請求項１】
腕部及び脚部の複合訓練機であって、前記腕部及び脚部の複合訓練機は、座体、脚掛け機構、及び押し上げ機構を含み、
前記座体は、ベース及び座具を含み、前記座具は、前記ベースに設けられ、前記脚掛け機構は、前記座体の先端に設けられ且つ第一伸縮シリンダ、連接棒群及び脚掛け部材を含み、前記第一伸縮シリンダは、前記連接棒群の一端に設けられ、前記脚掛け部材は、前記連接棒群の他端に設けられ、前記脚掛け部材が前記第一伸縮シリンダを牽引することで対応する抗力を生じ、
前記押し上げ機構は、前記座体の頂端に設けられ且つ第二伸縮シリンダ及び押し上げ部材を含み、前記第二伸縮シリンダは、前記押し上げ部材の一端に設けられ、前記押し上げ部材が前記第二伸縮シリンダを牽引することで対応する抗力を生じ、前記第一伸縮シリンダ又は/及び第二伸縮シリンダの往復式の伸縮により対応する抗力を生じ、両手押し上げ又は/及び脚部複合式の訓練効果を達成することを特徴とする腕部及び脚部の複合訓練機。
【請求項２】
前記第一伸縮シリンダ、第二伸縮シリンダの往復式の伸縮牽引は、それぞれモータ、減速機及びその伸縮棒におけるラックの機械要素からなることを特徴とする請求項１に記載の腕部及び脚部の複合訓練機。
【請求項３】
前記第一伸縮シリンダ、第二伸縮シリンダの往復式の伸縮は、個別に作動又は同時に作動することができ、その速度は、調整可能であることを特徴とする請求項２に記載の腕部及び脚部の複合訓練機。
【請求項４】
前記第一伸縮シリンダ、第二伸縮シリンダは、それぞれ空気圧減衰式又は油圧減衰式であることを特徴とする請求項１に記載の腕部及び脚部の複合訓練機。
【請求項５】
前記第一伸縮シリンダは、前記座具の底部に設けられることを特徴とする請求項２又は請求項４に記載の腕部及び脚部の複合訓練機。
【請求項６】
前記第二伸縮シリンダは、前記座具の背部に設けられることを特徴とする請求項２又は請求項４に記載の腕部及び脚部の複合訓練機。
【請求項７】
前記連接棒群は、第一連接棒、第二連接棒、前記ベース、脚掛け部材により四つの連接棒群を構成し、前記第一伸縮シリンダは、前記第一連接棒の中間部に設けられることを特徴とする請求項２又は請求項４に記載の腕部及び脚部の複合訓練機。
【請求項８】
第一連接棒の一端は、前記ベースに設けられ、前記第一連接棒の他端は、前記第二連接棒の一端に枢着され、前記第二連接棒の他端は、前記脚掛け部材に枢着されることを特徴とする請求項７に記載の腕部及び脚部の複合訓練機。
【請求項９】
前記ベースは、第一ストップブロックおよび二つの第二ストップブロックを含み、且つ前記第一ストップブロックは、前記ベースの空間部と連接棒群との間に設けられ、前記脚掛け機構に対しストッピング効果形成し、前記第二ストップブロックは、前記ベース背面に設けられ、前記押し上げ機構の押し上げ、引き下げに対しストッピング効果を達成することを特徴とする請求項２又は請求項４に記載の腕部及び脚部の複合訓練機。
【請求項１０】
前記座体の座具の両側にはそれぞれ固定バーが設けられることを特徴とする請求項２又は請求項４に記載の腕部及び脚部の複合訓練機。